(57)【要約】      （修正有）【課題】監視装置を懸架するのに適した構造を提供する。【解決手段】監視装置を懸架するための懸架装置２は、監視装置が懸架装置２によって懸架されたときに、フック部材２０が監視装置の重量を支え、それによって弾性部材に荷重を伝達して、懸架装置２の開放状態に向かって移動するように構成する。一方懸架装置２は、監視装置の重量の荷重がフック部材２０から解放されたときに、弾性部材が懸架装置２の閉鎖状態に向かってフック部材２０を移動させるように構成する。【選択図】図２
2015212808.tif 000002
【特許請求の範囲】
【請求項１】
監視装置を懸架するための補助懸架装置であって、当該懸架装置は、
フック部材（２０、５０、６０、７０）と、
閉塞部材（２２、５２、６２、７２）と、
弾性部材（３０）と、を備え、
前記懸架装置は、前記フック部材（２０、５０、６０、７０）が、監視装置（４）を懸架するための懸架要素（４３）との嵌合を可能にするように配置されている開放状態と、
前記閉塞部材（２２、５２、６２、７２）が、前記フック部材（２０、５０、６０、７０）からの前記懸架要素（４３）の離脱を防止するように配置されている閉鎖状態と、
なるように構成されており、
前記開放状態および前記閉鎖状態は、前記フック部材（２０、５０、６０、７０）が、前記閉塞部材（２２、５２、６２、７２）に対して移動可能であることによって可能とされ、
前記弾性部材（３０）は、前記閉鎖状態に向かって前記懸架装置を移動させるために配置されており、
前記懸架装置は、前記監視装置（４）が前記懸架装置によって懸架されたときに、前記フック部材（２０、５０、６０、７０）が前記監視装置（４）の重量を支え、これによって荷重を前記弾性部材（３０）まで伝達して、前記懸架装置の前記開放状態に向かって移動するように構成されており、
前記懸架装置は、前記監視装置（４）の重量の荷重が、前記フック部材（２０、５０、６０、７０）から解放されたときに、前記弾性部材（３０）が、前記懸架装置の前記閉鎖状態に向かって、前記フック部材（２０、５０、６０、７０）を移動させるように構成されており、
前記フック部材（２０、５０、６０、７０）には、前記懸架要素（４３）を受容および収容するように配置されたスロット（２３、５３、６３）が設けられており、
嵌合部分（２３ｂ、５３ｂ、６３ｂ）内に収容された懸架要素（４３）が、入口部分を通って脱出するのを前記閉塞部材（２２、５２、６２）が防止するように、前記閉塞部材（２２、５２、６２）は、前記フック部材（２０、５０、６０）の外表面に沿って、これと隣接して延在し、前記フック部材（２０、５０、６０）の前記スロット（２３、５３、６３）の片側に横方向に延在する長尺部分を備える補助懸架装置。
【請求項２】
前記スロット（２３、５３、６３）は、前記フック部材（２０、５０、６０、７０）の外側から前記懸架要素（４３）を受容するために配置された入口部分（２３ａ、５３ａ、６３ａ）と、前記懸架要素（４３）を収容するために配置された嵌合部分（２３ｂ、５３ｂ、６３ｂ）と、を備え、
前記スロット（２３、５３、６３）は、前記監視装置（４）が前記懸架装置によって懸架されたときに、前記懸架要素（４３）が前記入口部分（２３ａ、５３ａ、６３ａ）から離れて、前記スロットの前記嵌合部分（２３ｂ、５３ｂ、６３ｂ）に押し込まれるように配置されている、請求項１に記載の補助懸架装置。
【請求項３】
前記スロット（６３）は付加部分（６３ｃ）を備えており、
前記懸架装置は、前記監視装置（４）の重量が前記フック部材（６０）から解放されたときに、前記嵌合部分（６３ｂ）から前記付加部分（６３ｃ）または前記入口部分（６３ａ）に前記懸架要素（４３）が進入できるように配置されている、請求項２に記載の補助懸架装置。
【請求項４】
前記閉塞部材（２２、５２、６２）は、前記スロット（２３、５３、６３）の反対側に配置された、対応する長尺部分を備える、請求項１から３のいずれか一項に記載の補助懸架装置。
【請求項５】
前記フック部材（２０、５０、６０、７０）を受容するための貫通孔（３３、５４、７４）が設けられた基礎部材（２１、５１、６１、７１）をさらに備え、
前記フック部材（２０、５０、６０、７０）には、前記貫通孔（３３、５４、７４）を通って前記フック部材（２０、５０、６０、７０）の通過を防止するように配置された基部（３１）が設けられており、
前記弾性部材（３０）は前記基部（３１）と前記基礎部材（２１、５１、６１、７１）との間に配置されている、請求項１から４のいずれか一項に記載の補助懸架装置。
【請求項６】
前記閉塞部材（２２、５２、６２、７２）は前記基礎部材（２１、５１、６１、７１）の一部を形成する、請求項５に記載の補助懸架装置。
【請求項７】
前記フック部材（２０）の前記外表面には係合通路（４４）が設けられており、
前記懸架装置は、当該係合通路（４４）が係合要素の受容を可能にするために前記開放状態で露出するように、および前記係合通路（４４）が前記閉鎖状態で前記基礎部材（２１）によって被覆されるように構成されており、これによって前記懸架装置は、前記係合要素が前記係合通路（４４）内に配置されたときに前記閉鎖状態となるのが妨げられる、請求項５または６に記載の補助懸架装置。
【請求項８】
前記係合通路は前記フック部材（２０）の移動方向に対して横方向に延在し、
前記係合通路（４４）はピンの形状の係合要素を受容するために配置されている、請求項７に記載の補助懸架装置。
【請求項９】
前記基礎部材（２１）に取り付けられた弾性係合要素（８１）をさらに備え、
前記フック部材（２０）には係合ノッチ（８２）が設けられており、
前記懸架装置は、当該懸架装置が前記開放状態で配置されたときに、前記係合要素（８１）が前記係合ノッチ（８２）内に挿入可能となるように構成されており、これによって前記懸架装置は、前記係合要素が前記係合通路内に配置されたときに前記閉鎖状態となるのが妨げられる、請求項５または６に記載の補助懸架装置。
【請求項１０】
前記フック部材（２０）の外側面には高摩擦部分（４５）が設けられており、
前記懸架装置は、当該高摩擦部分（４５）が前記懸架装置の前記開放状態で露出されるように構成されている、請求項１から９のいずれか一項に記載の補助懸架装置。
【請求項１１】
前記スロット（５３）は前記懸架要素の通路を形成し、
当該通路は、前記フック部材（５０）の１つの側面と当該フック部材（５０）の中心軸との間に延在し、
前記閉塞部材（５２）は、ワイヤが前記スロット（５３）を通過するのを当該閉塞部材（５２）が防止するように、前記懸架装置の前記閉鎖状態において、前記スロット（５３）の前記通路に対して横方向に配置されており、
前記閉塞部材（５２）は、前記通路のどちら側が前記閉塞部材（５２）に隣接して配置されているかにかかわらず、前記スロット（５３）の前記通路に対して横方向に配置されるように位置決めされる、請求項１に記載の補助懸架装置。
【請求項１２】
前記フック部材（７０）には、各々が前記懸架要素を受容および収容するために配置された、１対のスロット（７３’、７３”）が設けられており、
前記スロット（７３’、７３”）は、前記フック部材（７０）の側面の両側に位置する入口部分を備え、
前記閉塞部材（７２）は２つの閉塞部分（７２ａ、７２ｂ）を備え、
前記閉塞部分（７２ａ、７２ｂ）は、前記スロット（７３’、７３”）のいずれかを、前記懸架要素が通過するのを防止するために配置されており、これによって前記フック部材（７０）からの前記懸架要素の離脱が防止される、請求項１に記載の補助懸架装置。
【請求項１３】
請求項１から１２のいずれか一項に記載の補助懸架装置を備える、懸架されるように配置されている監視装置。
【発明の詳細な説明】
【技術分野】
【０００１】
本発明は懸架装置に関し、具体的には監視装置を懸架するための補助懸架装置に関する。
【背景技術】
【０００２】
懸架装置は、設備、治具、または装飾品などの装置の懸架を提供するため、様々な用途において使用される。懸架は、クレーンによって設備の一部を移動させるときのように一時的であってもよく、あるいは天井にランプを懸架してランプを取り付けるときのように恒久的であってもよい。
【０００３】
あるタイプの懸架装置は、監視装置を懸架するようになっている。監視装置は、屋外の実装に適した監視カメラであってもよい。監視装置は、取り付けブラケットに取り付けられてもよく、これは同様に壁または屋根構造に固定される。大型で重い可能性のある、このような監視装置の設置は、監視装置が懸架されて、自身でぶら下がることが可能なように、まず、監視装置を取り付けブラケットに取り付けることによって容易になるだろう。この目的のために補助懸架装置が使用されてもよい。懸架装置は、監視装置の筐体の上面に結合されてもよい。
【０００４】
懸架装置は、監視装置に取り付けられたフック部材を備えてもよい。フック部材は、取り付けブラケットから延在する、ループを備える安全ワイヤを受容するように構成されてもよい。これにより、監視装置は、監視装置取付工とも称される、監視装置を設置する人が、監視装置と取り付けブラケットとの間に必要なケーブルを接続している間に、自身でぶら下がることが可能である。
【０００５】
監視装置が必要に応じて接続されるときには、監視装置はネジなどによって取り付けブラケットに固定的に取り付けられる。懸架装置は取り外される必要はなく、最初の取り付けが壊れたり、積極的に取り外されたりした場合には、安全装置として機能することができる。このような懸架装置の例は、添付の図１に見られる。
【０００６】
懸架装置には、フック部材からの、安全ワイヤの意図しない取り外しを防止するために板バネが備えられてもよい。フック部材は、板バネとフック部材との間に間隙を形成するように、板バネを押下することによって、ワイヤを受容するための開放位置に配置されるように構成されてもよい。安全ワイヤは間隙に通される。安全ワイヤに引っかけることは比較的容易であるが、しかし板バネを押下することによって獲得可能な小さい間隙は、取り外しを困難にする可能性がある。いくつかの状況において、たとえば安全ワイヤが、フックの代わりに板バネの一部に引っかかったために、フック部材が破損する可能性があることが、試験でも示されている。
【０００７】
上記の議論より、監視装置を懸架するのに適した、既存の懸架装置には改良の必要性があることは明らかである。
【発明の概要】
【０００８】
本発明の目的は、上述及びその他の欠点を緩和する懸架装置を提供することである。また使いやすく、懸架中に監視装置またはその他の装置の、安全な嵌合を提供する、懸架部材を提供することも本発明の目的である。
【０００９】
第一の態様によれば、本発明は、監視装置を懸架するための補助懸架装置である。懸架装置は、フック部材、閉塞部材、および弾性部材を備える。懸架装置は、監視装置を懸架するための懸架要素との嵌合を可能にするようにフック部材が配置されている開放状態、およびフック部材からの懸架要素の離脱を防止するように閉塞部材が配置されている閉鎖状態となるように構成されている。開放状態および閉鎖状態は、閉塞部材に対して移動可能なフック部材によって可能とされる。懸架装置を閉鎖状態に向かって移動するために、弾性部材が配置されている。懸架装置は、監視装置が懸架装置によって懸架されたときに、フック部材が監視装置の重量を支え、それによって弾性部材に荷重を伝達して、懸架装置の開放状態に向かって移動するように構成されている。懸架装置は、監視装置の重量の荷重がフック部材から解放されたときに、弾性部材が懸架装置の閉鎖状態に向かってフック部材を移動させるように構成されている。監視装置はカメラであってもよい。
【００１０】
本発明の利点は、懸架装置の嵌合が、監視装置取付工と懸架装置との間のいかなる相互作用も必要としない点にある。監視装置の重量を懸架装置に印加することにより、懸架装置は嵌合を可能にする開放状態となり、すなわちフック部材が懸架装置に引っかかることを可能にする。
【００１１】
本発明の別の利点は、監視装置の重量が懸架装置から解放されたときに、懸架装置がさらに閉鎖状態となるように構成されている点にある。この特徴により、懸架要素は、懸架装置から離脱することができない。このため、監視装置は、懸架装置から懸架要素が離脱する危険性を全く伴わずに、たとえばケーブルを接続するために動かされてもよい。
【００１２】
本発明のさらに別の利点は、監視装置の重量がフック部材に印加されて衝撃を与えたときに、弾性部材が減衰効果を提供することである。この効果は、フック部材が衝撃力を弾性部材に伝達することによる。
【００１３】
嵌合を可能にして離脱を防止する機能は、開放状態および閉鎖状態のそれぞれにおける、フック部材に対する閉塞部材の位置によって提供される。これらの機能は、以下の実施形態によって提供されてもよい。フック部材は、懸架要素を受容して収容するために配置されているスロットを備えてもよい。閉鎖状態において、閉塞部材は懸架要素がスロットを通るのを妨げるが、しかし開放状態では妨げない。スロットは、懸架要素を受容するために配置された入口部分と、懸架要素を受容するために配置された嵌合部分とを備えてもよい。このような実施形態において、閉塞部材は、懸架装置が閉鎖状態となったときに、懸架要素が入口部分から嵌合部分へ、またはその反対に通過するのを防止するために、配置されてもよい。
【００１４】
閉塞部材は、フック部材の外表面に沿って、これと隣接して延在し、嵌合部分に収容された懸架要素が入口部分を通って脱出するのを閉塞部材が防止するように、フック部材のスロットの片側に対して横方向に延在する長尺部分として配置されてもよい。
【００１５】
閉塞部材は、スロットの反対側に、すなわちスロットによって画定された通路の反対側に配置された、対応する長尺部分を備えてもよい。
【００１６】
懸架要素はワイヤを備えてもよい。ワイヤは、フック部材が嵌合する、すなわち引っかかるために提供された、その末端のワイヤループを形成してもよい。
【００１７】
懸架要素が懸架装置によって嵌合される様子の一例として、上記に開示された実施形態において、懸架要素は、フック部材のスロットの入口部分に挿入されてもよい。フック部材に、まだ実質的な力が印加されないように、監視装置は監視装置取付工によって保持されている。この位置において、監視装置取付工は監視装置から手を放すことができる。監視装置の重量は、懸架要素とフック部材との間の嵌合によって支えられることになる。フック部材および閉塞部材は、監視装置の重量による垂直力によって強制的に分離され、これによってフック部材は閉塞部材に対して上方に移動する。これによって懸架装置は開放状態となる。監視装置の重量による下向きの垂直力は、圧縮されている弾性部材に伝達される。
【００１８】
懸架装置のおかげで、監視装置取付工は、監視装置の配線と取り付けブラケットの配線との間で必要な接続を実行するために、彼／彼女の両手を自由に使うことができる。これによって懸架装置は、補助懸架装置として機能する。
【００１９】
監視装置の重量がフック部材から解放されると、懸架装置はスロット内で自由に動き回ることができる。しかしながら、懸架装置の構成により、監視装置の重量がフック部材から解放されるときに懸架装置は閉鎖状態となるので、スロットからの脱出によるフック部材からの懸架要素の離脱は、閉塞部材によって妨げられる。フック部材からの、ワイヤの意図しない離脱は、これによって防止される。こうして監視装置取付工は、懸架装置のフック部材からワイヤが離脱していないことを確認する必要を伴わずに、監視装置を動かすことができる。
【００２０】
言い換えると、懸架装置は、ワイヤの離脱が能動的動作を必要とするように、構成されている。ワイヤがスロットから脱出できるように、懸架装置を開放状態で維持するためには、閉塞部材から強制的に離されるように、フック部材に対して上向きまたは外向きの力が印加されなければならない。上向きの力は、開放状態において圧縮された弾性部材によって提供される、下向きまたは内向きの力に打ち勝たなければならない。
【００２１】
スロットは、監視装置が懸架装置によって懸架されたときに、懸架要素がスロットの嵌合部分の中に向かって、入口部分から強制的に離されるように配置されてもよい。この特徴は、たとえばスロットが入口部分と嵌合部分との間で上方に傾斜することによって、実現されてもよい。
【００２２】
スロットは、付加部分を含んでもよい。また、懸架装置は、監視装置の重量がフック部材から解放されるときに、懸架要素が嵌合部分から付加部分または入口部分に進入できるように配置されてもよい。付加部分は、嵌合部分から移動するときにワイヤの代替移動経路を提供する。この特徴は、閉鎖状態への戻りが要求されるほど速くない場合に、監視装置の重量がフック部材から解放されるときに、懸架要素がフック部材から離脱する危険性を低減する。
【００２３】
懸架装置はさらに、基礎部材を備えてもよい。基礎部材には、フック部材を受容するための貫通孔が設けられてもよい。閉塞部材は、基礎部材の一部を形成してもよい。フック部材には、フック部材が貫通孔を通るのを防止するために配置された基部が設けられてもよい。また、弾性部材が基部と基礎部材との間に配置されてもよい。このような実施形態において、弾性部材は、基部が基礎部材に対して直接衝撃を与える場合と比較して、フック部材に監視装置の重量が課されたときに、フック部材に対する衝撃力の減衰効果を提供する。
【００２４】
フック部材の外表面には、係合通路が設けられてもよい。懸架装置は、係合要素の受容を可能にするために、係合通路が開放状態で露出されるように構成されてもよい。懸架装置はさらに、閉鎖状態において係合通路が基礎部材によって被覆されるように構成されてもよい。
【００２５】
これにより、懸架装置は、係合要素が係合通路内に配置されたときに閉鎖状態となるのが妨げられてもよい。
【００２６】
係合通路は、フック部材の移動方向に対して横方向に延在してもよい。また、係合通路は、ピンの形状の係合要素を受容するように配置されてもよい。懸架装置が開放状態で配置されているとき、ピンは、係合通路から出て延在するように、係合通路内に挿入されてもよい。監視装置の重量による力、またはフック部材に印加されるその他いずれかの力が解放されると、懸架装置は、基礎部材の表面に対して支えるピンによって、閉鎖状態となるのが妨げられる。
【００２７】
懸架部材の離脱を容易にするために提供された別の実施形態において、懸架装置はさらに、基礎部材に取り付けられた弾性係合要素を備える。フック部材には、この実施形態において、係合ノッチが設けられている。懸架装置は、懸架装置が開放状態で配置されているときに、係合要素が係合ノッチ内に挿入可能となるように構成されてもよく、これによって懸架装置は、係合要素が係合通路内に配置されたときに閉鎖状態となるのが妨げられる。係合要素は、閉鎖状態に向かってフック部材を移動させる懸架装置の弾性部材によって、係合ノッチ内に抑えられている。この下向きの力は係合要素上に作用する。
【００２８】
懸架要素の離脱を容易にするために提供されたさらに別の実施形態において、フック部材の外側面には、高摩擦部分が設けられている。懸架装置は、この実施形態において、懸架装置の開放状態で、高摩擦部分が露出されるように構成されている。開放状態において、力はフック部材の本体に向かって半径方向に、高摩擦部分に印加される。このため、フック部材は貫通孔の基礎部材の内表面に対し押し付けられる。この押し付けは、監視装置の重量が解放されたときに、フック部材が弾性部材によって閉鎖状態に向かって移動するのを防止する、摩擦力を形成する。
【００２９】
本発明の別の実施形態において、スロットは懸架要素のための通路を形成し、通路はフック部材の１つの側面からフック部材の中心軸を超えて延在する。閉塞部材はこの実施形態において、ワイヤがスロットを通るのを閉塞部材が防止するように、懸架装置の閉鎖状態においてスロットの通路に対して横方向に配置されている。閉塞部材は、通路のどちら側が閉塞部材に隣接して配置されているかにかかわらず、スロットの通路に対して横方向に配置されるように、位置決めされてもよい。フック部材はこれによって異なる位置に配置されてもよい。
【００３０】
本発明の別の実施形態において、フック部材には、各々が前記懸架要素を受容および収容するために配置された、１対のスロットが設けられている。スロットは入口部分を備えており、これはフック部材の側面の両側に位置してもよい。この実施形態において、閉塞部材は２つの閉塞部分を備えており、これらは懸架要素がスロットのいずれかを通過するのを防止するために配置されており、これによってフック部材からの懸架要素の離脱が防止される。この実施形態の利点は、フック部材が１つの位置にあってもよく、その一方でワイヤに２つの進入方向を提供することである。
【００３１】
第二の態様によれば、本発明は、懸架されるように配置された監視装置である。監視装置は、上記第一の態様のいずれかの実施形態による懸架装置を備える。監視装置はカメラであってもよい。
【００３２】
本発明の上記およびその他の態様は、本発明の実施形態を示す添付図面を参照して、以下により詳細に記載される。
【図面の簡単な説明】
【００３３】
【図１】懸架装置の従来技術による構造を示す図である。
【図２】本発明の実施形態による懸架装置を示す図である。
【図３】図２の懸架装置の断面図である。
【図４Ａ】本発明の実施形態による懸架装置における、懸架要素の嵌合および離脱を示す図である。
【図４Ｂ】本発明の実施形態による懸架装置における、懸架要素の嵌合および離脱を示す図である。
【図４Ｃ】本発明の実施形態による懸架装置における、懸架要素の嵌合および離脱を示す図である。
【図４Ｄ】本発明の実施形態による懸架装置における、懸架要素の嵌合および離脱を示す図である。
【図５】懸架装置の異なる実施形態の断面図である。
【図６】懸架装置の異なる実施形態の断面図である。
【図７】懸架装置の異なる実施形態の断面図である。
【図８】懸架装置の異なる実施形態の断面図である。
【発明を実施するための形態】
【００３４】
本発明は、本発明の現時点の好適な実施形態が示される添付図面を参照して、以下により完全に記載される。しかしながら、本発明は、多くの異なる形態で実現されてもよく、本明細書に明記される実施形態に限定されるように解釈されるべきではない。
【００３５】
懸架装置１の従来技術による構造が図１に示される。懸架装置１は、監視装置の上面１１に位置してもよい。監視装置は、取り付けブラケットに取り付けられるように配置されてもよい。懸架装置１の目的は、たとえば監視装置の設置の間、取り付けブラケットからの監視装置の懸架を可能にすることである。監視装置が懸架されているとき、監視装置は自由にぶら下がることが可能であり、監視装置取付工は、監視装置と取り付けブラケットとの間で、いずれか必要なケーブルおよびその他のコネクタを自由に接続することができる。これが終わると、監視装置取付工は、ネジなどによって監視装置を取り付けブラケットに取り付けることができる。
【００３６】
周知の懸架装置１はフック部材１０を備える。フック部材１０は監視装置の上面１１に取り付けられている。懸架装置１はさらに、板バネ１２の形状の弾性部材を備える。板バネ１２もまた、監視装置の上面１１に取り付けられている。
【００３７】
板バネ１２は、フック部材１０の一部に向かって傾くように配置されている。監視装置のフック部材１０、板バネ１２、および上面１１は、図１に示されるようにこの位置に内部空間１４を形成する。懸架装置１は、安全ワイヤに引っかかるフック部材１０によって、内部空間１４内で安全ワイヤ（図示せず）を受容するように配置されている。板バネ１２は荷重状態において、板バネ１２の上部とフック部材１０との間に間隙を形成するような弾性を有する。間隙は、内部空間１４へのワイヤの入口を提供する。板バネ１２は、板バネ１２を内部空間１４に向かって内向きに押下することによって、荷重状態で配置されてもよい。板バネ１２には、板バネ２を配置するときに押下を容易にして、監視装置取付工を支援するための突起部分１３が設けられている。
【００３８】
この懸架装置１は完全に機能するものの、いくつかの状況において、懸架装置１が使用中に破損する危険性があることが試験で示されている。具体的には、内部空間１４内に収容されて監視装置が動かされたときに、安全ワイヤは、監視装置が解放されたときに突起部分１３に当たる可能性がある。この状況において監視装置の重量は、意図されるように、フック部材１０によってではなく、板バネ１２によって支えられる。板バネ１２は、その重量のために破損する可能性がある。また、安全ワイヤが突起部分１３から滑り落ち、これによって監視装置が落ちて、安全ワイヤがフック部材１０の上部に衝撃を与える危険性もある。このような状況において、フック部材１０の上部は衝撃力によって破損する可能性がある。
【００３９】
また、懸架装置１の設計によっては、安全ワイヤを外すことが困難になるかも知れない。安全ワイヤが内部空間１４内に位置しているとき、板バネ１２の上部とフック部材１０との間の間隙が形成されるように、板バネ１２を押下することによって取り外しが行われる。すると安全ワイヤは、間隙を通じて内部空間１４から取り出されることになるが、同時に監視装置を保持しながらこれを行うのは困難であろう。
【００４０】
本発明の実施形態による、同じ目的の、すなわち監視装置を懸架する手段を提供するための改良型懸架装置２は図２に示される。図３は懸架装置２の断面図である。
【００４１】
懸架装置２は、フック部材２０および基礎部材２１を備える。懸架装置２は、１対の閉塞部材２２を備える。しかし、本発明では、閉塞部材２２は１つしか必要ではない。この実施形態において、各閉塞部材２２は基礎部材２１の一部を形成する。本明細書の他の箇所において、複数の閉塞部材が配置されていたとしても、１つの閉塞部材２２のみが参照される。閉塞部材２２の形状および機能は後に開示される。
【００４２】
フック部材２０は個別部品を形成するが、これは基礎部材２１の貫通孔３３の中に挿入可能である。貫通孔３３の形状およびサイズは、フック部材２０の形状に適合している。フック部材２０は、この実施形態において円筒形要素であるが、別の実施形態では、角張った断面またはその他の適切な形状を有することができる。
【００４３】
図３に見られるように、フック部材２０にはスロット２３が設けられている。スロット２３は、フック部材２０の本体の中を延在する。スロット２３は、ワイヤなどの懸架要素を受容するために配置される通路を形成する。この目的のため、スロット２３は、フック部材２０の外側からスロット２３の通路内への、ワイヤの入口を提供する入口部分２３ａを備える。スロット２３はさらに、スロット２３内に完全に受容されたときに、ワイヤを収容するための嵌合部分２３ｂを備える。
【００４４】
フック部材２０が、基礎部材２１の貫通孔３３を通り抜けるのを防止するために、フック部材２０は基部３１を備える。基部３１の断面は、貫通孔３３を通過できないように配置されている。この実施形態において、基部３１は、フック部材２０の本体から半径方向外向きに延在するフランジを形成する。
【００４５】
フック部材２０が基礎部材２１とは別になっていることにより、フック部材２０は基礎部材２１に対して、および具体的には閉塞部材２２に対し移動可能である。
【００４６】
懸架装置２は、また波形バネ３０の形状の弾性部材も備える。波形バネ３０は、コイル波形バネ、スクロウェイブ（ｓｃｒｏｗａｖｅ）バネ、またはフラットワイヤ圧縮（ｆｌａｔ  ｗｉｒｅ  ｃｏｍｐｒｅｓｓｉｏｎ）バネとしても知られているタイプのバネである。波形バネは、バネの製造中に波形に形成された、プリハードン・フラット・ワイヤ（ｐｒｅ−ｈａｒｄｅｎｅｄ  ｆｌａｔ  ｗｉｒｅ）から作られてもよい。波形バネは、異なる巻き数および波数で形成されてもよく、これはバネ特性を定義する。
【００４７】
板バネおよびコイルバネなど、その他のバネ形状も実現可能であることは理解されるであろう。適切なエラストマのリングまたはスリーブなど、エラストマ材料の形態のバネ機能を提供することもまた実現可能であり、これらはフック部材の本体にはめ込むことができる。流体バネもまた使用可能である。
【００４８】
弾性部材は、図示される実施形態のように個別部品であってもよく、あるいは懸架装置のフック部材または基礎部材のいずれかと一体であってもよい。
【００４９】
図示される実施形態は、波形バネ３０の形態の弾性部材を備える。これらの波形バネ３０は、上記で挙げられたタイプのバネなど、別の形態の弾性部材に置き換えられてもよい。
【００５０】
図３に戻ると、波形バネ３０は、フック部材２０の本体にはめ込まれ、閉じた円形を形成する。フック部材２０が基礎部材２１の貫通孔３３の中に位置しているとき、波形バネ３０は基部３１と基礎部材２１との間に配置されている。波形バネ３０はこれにより、基部３１と基礎部材２１との間に挟まれる。
【００５１】
波形バネ３０は、フック部材２０の運動に影響を及ぼすように配置されている。その位置によって、波形バネ３０は、フック部材が図中上向きに移動したときに、圧縮されて荷重がかかる。こうして波形バネ３０は、フック部材２０を図中上向きに移動させたときに、対抗する下向きの力を提供する。対抗する下向きの力が上向きの力に負けなくなると、フック部材２０は、波形バネ３０の復元によって、図中下向きに移動する。
【００５２】
上向きおよび下向き移動とは、本明細書の文脈の範囲内において、基礎部材２１に対する、および具体的には閉塞部材２２に対する、フック部材２０の移動を意味する。言い換えると、上向き方向は、フック部材２０が貫通孔３３を通して外向きに、開放状態に向かって移動する方向として定義される。下向き方向は、フック部材２０が貫通孔３３を通して内向きに、閉鎖状態に向かって移動する方向として定義される。
【００５３】
フック部材が、厳密に垂直方向に移動するように、懸架装置が移動される必要はないことは理解されるであろう。この方向は、本発明の理解を容易にするために、図示された実施形態向けに選択されている。監視装置の重力は、一般的に下向き垂直方向に作用するので、フック部材が閉塞部材に対して基本的に垂直方向に移動可能となるような懸架装置の移動が好ましい。
【００５４】
図３に戻ると、フック部材２０が移動可能となる２つの位置が定義されてもよい。すなわち、波形バネ３０が圧縮されている第一位置と、波形バネ３０が第一位置と比較して弛緩している第二位置である。
【００５５】
波形バネ３０は第二位置において、必ずしも完全に弛緩する必要はないことは理解されよう。懸架装置２は、たとえば、波形バネ３０が第二位置においてわずかに圧縮されるように配置されてもよい。
【００５６】
懸架装置の２つの状態が、本明細書の文脈の範囲内で定義される。すなわち開放状態および閉鎖状態である。開放状態において、フック部材２０は第一位置に配置されており、懸架装置２はフック部材２０と懸架部材との間の嵌合を可能にするように構成されている。閉鎖状態において、フック部材２０は第二位置に配置されており、懸架装置２はフック部材２０からの懸架要素の離脱を防止するように構成されている。
【００５７】
嵌合を可能にして離脱を防止する機能は、開放状態および閉鎖状態のそれぞれにおける、閉塞部材２２のフック部材２０に対する場所によって提供される。
【００５８】
懸架装置２の開放状態および閉鎖状態は、懸架装置２の使い方の一例を示す、図４Ａから図４Ｄを参照して以下に詳細に記載される。
【００５９】
カメラ筐体４０およびカメラドーム４１を備えるカメラ４の形態の監視装置が、図４Ａに示されている。用語「カメラ」は、筐体部品、コネクタ、プロセッサ、照明装置、レンズ、またはその他の光学部品など、カメラユニット以外の部品を備えてもよい、カメラモジュールまたはカメラ装置と見なされる、この用途の文脈の範囲内に含まれる。
【００６０】
カメラ４は、懸架されたカメラとして設置されるように配置される。この目的のため、取り付けブラケット４２が提供される。取り付けブラケット４２は、実装表面へのカメラ４の取り付けを提供するために配置されている。実装表面は、この例では壁であるが、しかし天井または下端構造など、その他の表面であってもよい。取り付けブラケット４２およびカメラ４は、屋内または屋外の環境に設置されてもよい。
【００６１】
取り付けブラケット４２は、たとえばネジによって、壁に固定されるように配置された実装部分４６を備える。取り付けブラケット４２はさらに、カメラ４を接続するために配置されたカメラアーム４７を備える。カメラアーム４７は、カメラ４に接続される電源コードまたはその他の配線を収納してもよい。
【００６２】
カメラ筐体４０の上面には、カメラ筐体４０の上面の開口部４９を被覆するカバー４８が設けられている。開口部４９は、取り付けブラケット４２のカメラアーム４７の配線に接続される、カメラ４の内部に位置する配線へのアクセスを提供する。したがって、取り付けブラケット４２の外側にもカメラ４の外側にも、配線または接続が配置される必要はない。こうして配線およびケーブル接続は、雨または物理的損傷など、外部からの影響から保護される。
【００６３】
この保護を提供するために、カメラ筐体４０の内部の配線は、カメラ筐体４０がカメラアーム４７に取り付けられる前に、取り付けブラケット４２内の配線に接続されなければならない。懸架装置２はこのプロセスを支援する。取り付けブラケット４２にはワイヤ４３の形状の懸架要素が設けられており、カメラ４には懸架装置２が設けられている。懸架装置２は、開口部４９の外側または内部に設けられてもよい。
【００６４】
ここでワイヤ４３には、その末端にワイヤループが設けられている。ワイヤループは、フック部材２０がワイヤループに引っかかることによって、フック部材２０との嵌合を可能にする。ワイヤの材料は、金属、ポリマー材料、または麻などの有機材料であってもよい。
【００６５】
ワイヤ４３と組み合わせられた懸架装置２は、カメラ取付工がカメラ４を保持する必要なく、カメラ４が取り付けブラケット４２内に懸架され、自身でぶら下がることを可能にする。カメラ取付工はこれにより、カメラ４の配線と取り付けブラケット４２の配線との間で必要な接続を実行するために、彼／彼女の両手を自由に使うことができる。これらが達成されるとカメラ取付工はカメラ４を持ち上げて、取り付けブラケット４２のカメラアーム４７にこれを取り付けることができる。取り付けはネジなどによって行われてもよい。
【００６６】
さらに詳述すると、フック部材２０とワイヤ４３との間の嵌合、および閉塞部材２２の機能が、図４Ｂから図４Ｄを参照して以下に開示される。
【００６７】
先に開示されたように、懸架装置２は、フック部材２０に上向きの力が印加されないときに閉鎖状態となるように構成されている。閉鎖状態において、フック部材２０および閉塞部材２２は互いに、閉塞部材２２がスロット２３を通じてワイヤ４３の通路をふさぐように位置している。ワイヤの通路とは、入口部分２３ａから嵌合部分２３ｂへの、またはその反対の通路を意味する。
【００６８】
図４Ｂから図４Ｃに示される実施形態において、閉塞部材２２は、フック部材２０の本体の外表面に沿って、これと隣接して延びる長尺部分を備える。閉塞部材２２は、スロット２３の片側を横方向に延びる、つまり閉塞部材２２は、ワイヤ４３の通路を形成するスロット２３の片側を横方向に延びることを意味する。先に述べたように、懸架装置２は、スロット２３の反対側に沿って、すなわち通路の反対側に沿って延びる、さらなる閉塞部材を備えてもよい。
【００６９】
閉塞部材２２とフック部材２０との間の間隙は、使用される特定の懸架部材が、その間隙を通過できないようになっている。フック部材２０と閉塞部材２２との間に、いかなる摩擦も生じないように、フック部材２０に接する閉塞部材２２ではなく、小さい間隙が好ましい。
【００７０】
閉塞部材２２は、入口部分２３ａと嵌合部分２３ｂとの間のスロット２３の中間部分に対して、横方向に配置されている。これによりワイヤ４３は、懸架装置２がまだ閉鎖状態で配置されているときに、スロット２３の入口部分２３ａ内に配置されてもよい。これは図４Ｂに示されており、ワイヤ４３はスロット２３の入口部分２３ａの中に挿入されている。カメラ４は、フック部材２０に実質的な力がまだ印加されないように、カメラ取付工によって保持されている。この位置において、カメラ取付工はカメラ４から手を放すことができる。するとカメラ４の重量は、ワイヤ４３とフック部材２０との間の嵌合によって支えられることになる。フック部材２０および基礎部材２１は、カメラの重量による下向きの垂直力によって強制的に分離され、これによってフック部材２０は、閉塞部材２２に対して上方に移動する。これにより、懸架装置２は、図４Ｃに示される開放状態となる。カメラ４の重量による下向きの垂直力は、現在圧縮されている波形バネ３０に伝達される。
【００７１】
開放状態において、ワイヤ４３は、入口部分２３ａから嵌合部分２３ｂまでスロット２３を通過する。スロット２３は、入口部分２３ａから嵌合部分２３ｂまで上向きに傾斜しているため、ワイヤ４３は、カメラ取付工がカメラ４から手を放したときに、スロット２３の入口部分２３ａから嵌合部分２３ｂまで遠ざけられる。
【００７２】
ワイヤ４３が嵌合部分２３ｂ内に受容されると、フック部材２０は衝撃力に曝される。懸架装置２は、フック部材２０に対して課された衝撃力が波形バネ３０に伝達されるように構成されている。これにより、波形バネ３０は、基部３１が基礎部材２１に対して直接衝撃を与える場合と比較して、フック部材２０に、カメラ４の重量が課されたときの衝撃の減衰効果を提供する。
【００７３】
図４Ｄは、カメラ４の重量による力がフック部材２０から解放されたときに、懸架装置２がどのように作用するかを示している。ワイヤ４３および懸架装置の実線は懸架装置２の開放状態を表し、フック部材２２がカメラの重量を支えている。ワイヤ４３および懸架装置の破線は懸架装置２の閉鎖状態を表し、カメラの重量はフック部材２２から解放されている。閉鎖状態における波形バネ３０の圧縮のため、波形バネ３０は懸架装置２を閉鎖状態に向かって移動するように配置されている。
【００７４】
カメラの重量がフック部材２０から解放されると、ワイヤ４３はもはや嵌合部分２３ｂ内に押し込まれることはなく、スロット２３に沿って移動することができる。しかしながら、カメラの重量がフック部材２０から解放されたときに懸架装置２は閉鎖状態となるので、懸架装置２の構成により、入口部分２３ａを通じてのスロット２３からのワイヤ４３の脱出は閉塞部材２２によって阻止される。フック部材２０からのワイヤの意図しない離脱は、これによって防止される。こうしてカメラ取付工は、ワイヤ４３が懸架装置２のフック部材２０から離脱していないことを確認する必要なく、カメラを動かすことができる。
【００７５】
言い換えると、懸架装置２は、ワイヤ４３の離脱が能動的動作を必要とするように構成されている。ワイヤ４３がスロット２３から脱出できるためには、懸架装置２０を開放状態で維持するために、閉塞部材２２から強制的に離されるように、フック部材２０に対して上向きの力が印加されなければならない。上向きの力は、開放状態において圧縮された波形バネ３０によって提供された下向きの力に打ち勝たなければならない。一例として、カメラ取付工は、スロット２３からワイヤ４３を引き出しながら、開放状態で懸架装置２を配置するように、フック部材２０を上向き方向に引っ張る。
【００７６】
スロット２３からワイヤ４３を離脱させるやり方の別の例は、図４Ｃを参照して開示される。ここで、フック部材２０には、ワイヤ４３の離脱を容易にする高摩擦部分４５が設けられている。高摩擦部分４５は、懸架装置２が開放状態であるときに露出される位置に配置されている。開放状態において、取付工は、フック部材２０の本体に向かって半径方向に、高摩擦部分４５に対して力を印加することができる。こうしてフック部材２０は、貫通孔３３の基礎部材２１の内表面に対して押しつけられる。強制的な接触は、カメラの重量が解放されたときに、フック部材２０が波形バネ３０によって閉鎖状態に向かって移動するのを防止する摩擦を生じる。高摩擦部分４５は、たとえば、溝付き、刻み付き、または粗面部分であってもよい。力は、工具または指を押し当てることによって、高摩擦部分４５に印加されてもよい。ワイヤ４３が離脱させられると、高摩擦部分４５に印加された力は解放され、これによって懸架装置２は閉鎖状態となることができる。
【００７７】
図４Ｃのフック部材２０には、係合通路４４も設けられている。係合通路４４は、高摩擦部分４５の代替または補完であってもよい。係合通路４４は、係合通路４４が開放状態で露出され、閉鎖状態で基礎部材によって被覆されるように、フック部材４０上の位置に配置される。言い換えると、係合通路４４が設けられたフック部材２０の部分は、懸架装置が閉鎖状態となったときに、基礎部材２１の貫通孔３３の中に位置している。係合通路４４は、フック部材２０の断面外周を考慮して接線方向に延在する。あるいは、係合通路４４は、フック部材２０の断面を考慮して半径方向に、またはそのシフトした方向に、延びてもよい。
【００７８】
係合通路４４は、ピン（図示せず）の形状の係合要素を受容するように構成されている。懸架装置２が開放状態で配置されているとき、ピンは、係合通路４４から出て、さらに延びるように係合通路４４の中に挿入される。カメラ４の重量による力、またはフック部材２０に印加されるその他いずれかの力が解放されると、懸架装置は、ピンが基礎部材２１の表面に対して支えることによって、閉鎖状態を維持できなくなる。こうして、ワイヤ４３は、フック部材２０に対していかなる作用力を印加する必要なく、スロット２３から取り出されることが可能である。ワイヤ４３が離脱させられると、ピンは係合通路から取り出されることが可能であり、これによって懸架装置は閉鎖状態となる。取付工が使用後に、取り外し忘れる危険性を低減するために、ピンには目立つフラグが設けられるか、または目立つ色で設計されてもよい。ピンは懸架装置２に、たとえば基礎部材２１の一部に、ピンを容易にアクセス可能とするように取り付けられてもよい。
【００７９】
開示された実施形態の懸架装置は、カメラ４の上面に設けられるように配置される。あるいは懸架装置２は、カメラ４が取り付けられる取り付けブラケット４２または対応する装置の中に位置してもよいことは、理解されるであろう。この場合には、懸架部材、この例においてワイヤ４３は、カメラ４に取り付けられることになる。
【００８０】
ここで、代替実施形態による閉塞部材５２は、図５を参照して開示される。図５は、スロット５３の伸長方向から見た断面図である。スロット５３は、ワイヤの形状の懸架要素のための通路を形成する。通路は、入口部分５３ａから嵌合部分５３ｂまで延在する。通路は、フック部材５０の中心軸を越えて延在する。閉塞部材５２は、図５にあるように、懸架装置が閉鎖状態で配置されているときに、ワイヤが通路を通るのを防止するように、スロット５３の通路に対して横方向に配置される。この実施形態において、閉塞部材５２は、通路のどちら側が閉塞部材５２に隣接して配置されているかにかかわらず、スロット５３の通路に対して、横方向に配置されるように位置決めされる。言い換えると、懸架装置は、図示される実施形態のように、フック部材５３は、その入口部分５３ａを内向きに、および基礎部材５１の中心に向かって配向させて、若しくは外向きに基礎部材５２の中心から離れる方へ配向させて配置されるように構成されている。図２の懸架装置２を見ると、この実施形態のフック部材２０は、嵌合部分２３ａが内向きに、および基礎部材２１の中心に向かって配向するように配置されている。既述の位置のいずれかにおいて、閉塞部材５２は、スロット５３の通路のワイヤの通過を防止する。
【００８１】
これにより、フック部材２０は異なる位置に配置されてもよい。懸架部材の嵌合を容易にするために、たとえば監視装置上の懸架装置の位置に応じて、フック部材５０を、そして、スロット５３の入口部分５３ａを、異なる場所に配置することが好ましい。
【００８２】
フック部材５０の基部は、フック部材５０をいずれか１つの位置に案内するように構成されている。たとえば、基部の外周の形状は、基部として配置されて基礎部材２１の貫通孔５４の一部として設けられた、対応する凹部の中に独自に適合するように選択されてもよい。フック部材５０が２つの位置に配置される図５の実施形態では、基部および対応する凹部は、両方の位置が実現可能となるように配置されてもよい。
【００８３】
フック部材６０の別の実施形態は、図６に示されている。フック部材６０のスロット６３は、フック部材の上記に開示された構成に対応する、入口部分６３ａおよび嵌合部分６３ｂを備える。スロット６３は、付加部分６３ｃも備える。付加部分６３ｃは、ワイヤが嵌合部分６３ｂから付加部分６３ｃの中までスロット６３内で移動できるように、嵌合部分６３ｂと接続して配置されている。付加部分６３ｃは、ワイヤがスロット６３から脱出できる開口部を有していない。
【００８４】
付加部分６３ｃの目的は、嵌合部分６３ｂから移動するときに、入口部分６３ａまでのワイヤの代替移動経路を提供することである。この特徴は、閉鎖状態への戻りが、要求されるほど速くない場合に、監視装置の重量がフック部材６０から解放されるときに、ワイヤがスロット６３から脱出する危険性を低減する。たとえば、低剛性定数を有する弾性部材は、より高い剛性定数を有する弾性部材が使用された場合と比較して、懸架装置２を開放状態とするために必要とされる力が小さく、閉鎖状態への戻りが遅い状況をもたらす。低剛性定数を有する弾性部材が使用されると、遅い戻りの欠点に対抗するために、付加部分６３ｃが利用されてもよい。
【００８５】
付加部分６３ｃは、この実施形態において、フック部材６０の伸長方向に沿って配置されている。この特徴は、監視装置が伸長方向に持ち上げられたときに、入口部分６３ａを通じて脱出する代わりに、ワイヤが付加部分６３ｃに進入する可能性を増加させる。
【００８６】
フック部材７０のさらに別の実施形態は、図７に示されている。フック部材７０には、２つのスロット７３’および７３”が設けられている。スロット７３’、７３”は、その入口部分をフック部材７０の側面の両側に配置されている。スロット７３’、７３”は互いに接続されていない。
【００８７】
この実施形態は、異なる方向を向くように入口部分５３ａを配置するために、フック部材５０が異なる位置に位置決めされる、図５に示される実施形態の代替である。
【００８８】
閉塞部材７２は、２つの閉塞部分７２ａおよび７２ｂを備える。閉塞部分７２ａ、７２ｂの各々は、閉鎖状態において、ワイヤがスロット７３’、７３”の各々から脱出するのをそれぞれ防止する。閉塞部材７２および閉塞部分７２ａ、７２ｂの各々の機能および形状は別途、先に開示された実施形態の閉塞部材と同じでもよい。
【００８９】
フック部材７０および閉塞部材７２の構成によって、フック部材７０は、ワイヤに２つの進入方向を提供しながら、基礎部材７１の貫通孔７４の１つの位置に配置されてもよい。これにより、懸架要素の進入方向を１つ１つ変更するために、フック部材７０を再位置決めする必要はなくなる。
【００９０】
開放状態での懸架装置２の係合に関する、フック部材２１の代替実施形態は、図８に示されている。フック部材２０は、先に開示された実施形態によるスロット２３を備える。閉塞部材２２を有する基礎部材２１は、先に開示された実施形態にしたがって配置されてもよい。基礎部材２１にはさらに、係合要素８１が設けられている。係合要素８１は、基礎部材２１の上面に取り付けられた弾性ピンまたはストリップの形状を有する。フック部材２０には、係合ノッチ８２が設けられている。係合ノッチ８２は、懸架装置が開放状態にあるときに露出されるフック部材２０の部分に設けられている。
【００９１】
係合要素８１および係合ノッチ８２は、懸架装置が開放状態にあるときに、係合要素８１が係合ノッチ８２の中に挿入可能となるように、互いに位置している。係合要素８１が弾性であることによって、係合要素８１は、基礎部材２１に取り付けられている間に、係合ノッチ８２の中へ挿入するために曲げられることが可能である。係合要素８１は、たとえば板バネ要素を備えることができる。係合ノッチ８２および係合要素８１は、その他の形状および構成によって提供されてもよい。
【００９２】
図８の係合装置は、監視装置が解放されたときに解放される、フック部材２０の一時的な係合を提供するために配置されてもよい。この機能は、フック部材８２が開放状態に向かって完全に移動していないときに、係合要素８１が係合ノッチ８２の中に挿入可能となるように、しかし閉塞部材２２がスロット２３内のワイヤ４３の通過を完全に防止しないように、十分に懸架装置２が配置されることによって提供される。こうして懸架装置は、係合位置において開放状態となる。係合要素８１は、懸架装置の波形バネ（図示せず）が、閉鎖状態に向かってフック部材２０を移動させることによって、係合ノッチ８２内に保持される。この下向きの力は、係合要素８１に対して作用する。
【００９３】
波形バネ３０の下向きの力の反対向きで、これに打ち勝つ上向きの力が、たとえば監視装置の重量によってフック部材２０に対して印加されると、フック部材２０は開放状態に向かってさらに移動する。この位置は、図８の鎖線によって表されている。この位置において、波形バネ３０の復元力は、いまやフック部材２０を閉鎖状態に向かって移動させるのに十分な強さではないので、係合要素８１は、もはや係合ノッチ８２内に保持されなくなる。係合要素８１は、本実施形態では直立状態である弛緩状態に向かって移動されるように配置されている。この状態は図８の鎖線によって示されている。この構成のため係合要素８１は、フック部材２０が監視装置の重量を支えるとき、または対応する上向きの力に曝されるときに弛緩状態に戻る。上向きの力が解放されると、係合要素８１が係合ノッチ８２内に再挿入されない場合、懸架装置は閉鎖状態となる。
【００９４】
一時的係合は、ワイヤ４３を一時的に離脱および再嵌合することが望ましいときに使用されてもよい。一時的係合の別の使用は、係合を容易にするために、実装プロセスを開始する前に、懸架装置２を係合位置に配置するためである。監視装置はたとえば、係合位置にある懸架装置とともに供給されることが可能である。
【００９５】
いまや本発明の原理が理解されたので、請求項による本発明の範囲内の様々な形態で、懸架装置が実現されてよいことは、理解されるべきである。
【００９６】
異なる剛性定数を有する様々な形状のバネが、選択可能であることは理解されるであろう。バネの高剛性定数は、監視装置の重量による力がフック部材に衝撃を与えるときに、良好な減衰効果を提供する。その一方で、高剛性定数のバネでは、フック部材を開放状態に向かって移動させるために、より大きい力が必要とされる。この場合、図４Ｂ（係合通路４４およびピンを有する）および図８（係合ノッチ８２および係合要素８１を有する）の実施形態は、ワイヤの離脱を容易にすることができる。したがって、バネおよびその特性の選択には柔軟性があり、懸架装置の用途および所望の特性に依存する。この選択はまた、懸架装置が一緒に使用されることになる監視装置のタイプにも依存する。懸架のために配置されるカメラなどの監視装置は、３〜８ｋｇの重量を有してもよい。しかしながら懸架装置は、その構成に適合することによって、より軽い構造にもより重い構造にも使用されることが可能である。設計のための制御因子の１つは、たとえば、フック部材によって支えられるときの監視装置の重量による垂直力が、閉鎖状態に向かってフック部材を移動させるために作用するバネの下向きの力に、打ち勝つのに十分なほど大きくなるようなバネが選択されることである。
【００９７】
懸架装置の部品の材料もまた、これが支えるように意図される荷重に基づいて選択されるべきである。小型カメラなどの軽量装置を懸架するために、基礎部材（閉塞部材を有する）、フック部材、および弾性部材を含む懸架装置は、プラスチックまたはゴムなどのポリマー材料で作られてもよい。プラスチック材料は、たとえば安価であるという利点を有する。しかしながら、この材料は別の材料ほど高い荷重に耐えられない。より重い装置を懸架するためには、懸架装置は鋼またはアルミニウムなどの金属材料で作られてもよい。
【００９８】
図面に示される実施形態において、懸架要素はワイヤのループ形状である。しかしながら、懸架要素はその他の形状であることも可能である。たとえば、隆起またはボールが、ワイヤに取り付けられるか、またはワイヤ上に形成されてもよい。このような場合、フック部材には隆起またはボールが挿入可能であって、監視装置が懸架されたときに隆起またはボールを、溝から逃がさないようにする末端壁を有するアンダーカット溝が形成されてもよい。ループのないワイヤを使用し、バネ荷重付きボールロック機構によって、フック部材の中に懸架要素を係合することも可能である。さらにワイヤの代わりに、選択的に金属コードを備える、弾性またはプラスチック材料の束が使用されてもよい。より厚い材料の、完全なループを形成しないフックもまた、懸架要素として使用されることが可能である。
【００９９】
フック部材は必ずしも一体に形成される必要はない。代わりに、１つ以上の材料、２つ以上の部品から構成されてもよい。たとえば、スロットを備えるフック部材の上部部品は一つの材料で作られてもよく、基部を備える下部部品は別の材料で作られてもよい。部品のうちの１つは、たとえば、ネジ留め嵌合によって別の部品にねじ込まれてもよい。フック部材の形状は図面に示されるものに限定されない。フック部材は、使用されているそれぞれの懸架要素を嵌合および保持するのに適した、いずれの形状でもよい。
【０１００】
以上、本発明はカメラに関連付けて記載されてきた。しかしながら、赤外線検出器およびマイクロフォンなど、その他の装置もまた、本発明による懸架装置を用いて懸架されることが可能である。
【０１０１】
懸架部材は、監視装置の懸架以外の用途に使用されてもよいこともまた、理解されるであろう。たとえば、スポットライトなど舞台設備を懸架するために使用されてもよい。特定の用途に適合するために、懸架装置のサイズを縮小または拡大することが可能である。
【０１０２】
すでに開示された実施形態と同じ原理に基づく別の懸架装置が以下に記載される。懸架装置は、フック部材、基礎部材、および閉塞部材を備える。フック部材はスロットを備える。懸架装置は、フック部材が基礎部材の一部を形成するか、または基礎部材に少なくとも固定的に取り付けられるという点において、上記で開示された実施形態と異なっている。閉塞部材は、先に開示されたように、少なくとも部分的にフック部材の周りに配置されている。懸架装置は、フック部材に対して、閉塞部材が移動可能となるように構成されている。この特徴は、閉塞部材と基礎部材との間を接続する弾性部材を備える懸架装置によって実現されることが可能である。懸架装置は、弾性部材が閉塞部材を閉鎖状態に向かって移動するように構成されてもよい。閉鎖状態および開放状態の意味は、先に開示された実施形態と同じである。懸架装置は、弾性部材の移動力に対抗する力が閉塞部材に印加されることによって、開放状態にすることができる。閉塞部材は、反作用力を弾性部材に伝達し、弾性部材は圧縮される。ワイヤ、またはその他の懸架要素は、開放状態においてフック部材のスロット内に配置されてもよい。閉塞部材はその後解放されてもよく、これにより弾性要素は懸架装置の閉鎖状態に向かって閉塞部材を移動させる。
【符号の説明】
【０１０３】
１  従来型懸架装置
２  改良型懸架装置
４  カメラ
１０、７０  フック部材
１１  上面
１２  板バネ
１３  突起部分
１４  内部空間
２０、５０，６０、７０  フック部材
２１、５１、６１、７１  基礎部材
２２、５２、６２、７２  閉塞部材
２３、５３、６３、７３’、７３”  スロット
２３ａ、５３ａ、６３ａ  入口部分
２３ｂ、５３ｂ、６３ｂ  嵌合部分
３０  波形バネ
３１  基部
３３、５４、７４  貫通孔
４０  カメラ筐体
４１  カメラドーム
４２  取り付けブラケット
４３  ワイヤ
４４  係合通路
４５  高摩擦部分
４６  実装部分
４７  カメラアーム
４８  カバー
４９  開口部
６３ｃ  付加部分
７２ａ、７２ｂ  閉塞部分
８１  係合要素
８２  係合ノッチ
【図１】
2015212808.tif 000003
【図２】
2015212808.tif 000004
【図３】
2015212808.tif 000005
【図４Ａ】
2015212808.tif 000006
【図４Ｂ】
2015212808.tif 000007
【図４Ｃ】
2015212808.tif 000008
【図４Ｄ】
2015212808.tif 000009
【図５】
2015212808.tif 000010
【図６】
2015212808.tif 000011
【図７】
2015212808.tif 000012
【図８】
2015212808.tif 000013
【外国語明細書】
2015212808000001.pdf
2015212808000002.pdf
2015212808000003.pdf
2015212808000004.pdf